(57)【特許請求の範囲】
【請求項１】
下流側に差口部をもつ金属製管継手本体における通水路用貫通孔に、弁座を設けると共に、該貫通孔をスライドし、かつ、下流側に延設した弁棒部が貫通孔で案内されるポペット弁型止水ストッパ−を設け、
該ポペット弁のカサ周面に設けたシ−ルリングを、前記弁座に着座閉弁・離反開弁するようにし、該着座を、水道圧とコイルスプリングの弾力とで行うと共に、離反を、前記差口部に外嵌する接続用管体側の押込み力により行う水締切り装置を備えた水道用管継手において、
前記ポペット弁を合成樹脂製射出一体成形品で構成し、該カサ部に一体に設けた弁棒部たるガイド部を、長寸状案内足で構成して、前記管継手本体の下流端より常時、突出させ、その自由端に、投影図からみて、該カサ部外径より突出したジョィントカラ−用当接部たる扇部を形成し、該扇部に対し１８０度反対側のシ−ルリングを支点として、該扇部で、前記接続用管体側に設けたジョィントカラ−の縮径段部の押込み力を偏移して受けることによって、モ−メントを発生させると共に、該扇部に対し１８０度反対側の前記案内足をえぐることにより、前記弁座にカミ込み密着しているシ−ルリングをこじあけるようにして開弁を確実にしたことを特徴とする水締切り装置を備えた水道用管継手。
【発明の詳細な説明】
【０００１】
【発明の属する技術分野】
本発明は、水締切り装置を備えた水道用管継手に関し、特に洗濯機用ホ−スを水道管に接続するためのワンタッチ式管継手に関するものである。
【０００２】
【従来の技術】
従来より流体締切り装置を備えた管継手には、多数の提案がなされている（例えば、昭和６２年、発明協会発行「特許からみた管・管継手」および特許第２６２３４４３号公報等参照）。
【０００３】
例えば、実公昭５５−３４３９１号公報で示す代表的な流体締切り装置を備えた管継手５０Ａについて述べると、図７において上流側継手体５０から下流側管体５１を切離すと、両者の中間に設けたポペット弁（弁棒を板状にしたもの）５２がコイルスプリング（圧縮コイルスプリング、すなわち、バネを圧縮するように荷重が作用するタイプのコイルバネのこと）５３の伸び弾力により直ちに閉弁して、上流側継手体５０からの流体（ガス）を締切るようにしている。すなわち、この管継手５０Ａには流体締切り装置を備えている。
【０００４】
更に詳しく述べると、上流側継手体５０の下流側（２次側）には管継手本体５４の螺着部が螺合していて、この管継手本体５４と前記上流側継手体５０との間に弾性弁座５５が設けてあり、この弁座５５に前記ポペット弁５２のカサ部が着座するようになっている。
【０００５】
したがって、このポペット弁５２のカサ部のカサ表面をバネ受の１つとするコイルスプリング５３が伸び弾圧し、ポペット弁５２の着座を担持している。
【０００６】
また、前記管継手本体５４には、複数のロックボ−ル５６、５６…が周設され、かつ、これらのロックボ−ル５６を作動させるスリ−ブ５７が外嵌している。
【０００７】
したがって、かかる流体締切り装置を備えた管継手５０Ａによれば、先ず、スリ−ブ５７を把持してスリ−ブスプリング５８の弾力に抗して、上流側へスライドさせ、そのまま指先で保持する。
【０００８】
次いで、管継手本体５４に下流側管体５１の差口部をロックボ−ル５６を周辺に逃がしながら手で押込み、その押込み力でポペット弁５２の板状弁棒５９を上流側へ移動させ、弁座５５に着座しているポペット弁５２のカサ部を弁座５５から離反し、開弁する。
【０００９】
そして、把持しているスリ−ブ５７を離すと、スリ−ブスプリング５８によりスリ−ブ５７が戻り、下流側管体５１をロックボ−ル５６によりロックする。その結果、上流側継手体５０と下流側管体５１とは連通する。
【００１０】
次に、かかる流体締切り装置を備えた管継手５１Ａの基本思想を用いた管継手３０Ａを、洗濯機用ホ−ス３１と水道用のバルブ（４７）との間に適用して、洗濯機用ホ−ス３１の不測の外れによる放水を防止する装置について述べる。
【００１１】
図６において、上流側継手体（水栓本体用エルボ）３０から下流側管体（洗濯機用ホ−ス）３１を不用意に外すと、両者の中間に設けた合成樹脂製（ＡＢＳ製）ポペット弁３２がコイルスプリング３３の伸び弾力により直ちに閉弁して、上流側継手体３０からの水道水を締切るようにしている。すなわち、この管継手３０Ａには水締切り装置を備えている。
【００１２】
更に詳しく述べると、上流側継手体３０の下流側には管継手本体３４の螺着部が螺合していて、この管継手本体３４の略中央上流側には弁座（不図示）を形成しており、この弁座に前記ポペット弁３２のカサ部の若干下流側に嵌着したＯリング（シ−ルリング）３５が着座閉弁するようになっている。
【００１３】
したがって、このポペット弁３２のカサ部の上流面（カサ表面）をバネ受としたコイルスプリング３３の伸び弾力が、ポペット弁３２の着座を担持している。
【００１４】
一方、洗濯機用ホ−ス３１の先端部には、合成樹脂製（ＡＢＳ製）スリ−ブ３７を外嵌した合成樹脂製ジョィントカラ−（受口部）３６を固着し、このジョィントカラ−３６には複数のロックボ−ル（不図示、図７参照）を周設している。
【００１５】
そして、このスリ−ブ３７を下流側にスリ−ブスプリング（不図示、図７参照）の弾力に抗して下流側に手動でスライドさせると、これらのロックボ−ルはスリ−ブ３７の径方向の押圧から解放される。
【００１６】
したがって、このスリ−ブ３７を把持して下流側にスライドさせたまま、ジョィントカラ−３６を、管継手本体５４に一体形成した下流側の差口部３８に外嵌すると、これらのロックボ−ルは差口部３８に設けたロックボ−ル溝４０の外周に位置するので、スリ−ブ３７を手から離すと、スリ−ブスプリング（不図示）によって戻り、これらのロックボ−ルを外周から押圧してロックボ−ル溝４０に押込む。
【００１７】
その結果、洗濯機用ホ−ス３１と管継手本体３４とは結合でき、スリ−ブ３７を下流側にスライドさせない限り、外れることはない。
【００１８】
したがって、この洗濯機用ホ−ス３１に用いる管継手３０Ａでは、ロックボ−ルが洗濯機用ホ−ス３１のジョィントカラ−３６の方に設けているが、前記図７と同様ワンタッチで着脱自在に結合することができる。
【００１９】
更に云えば、この管継手３０Ａでは、先ず、スリ−ブ３７を把持してスリ−ブスプリング（不図示）の弾力に抗して下流側へスライドさせ、そのままで保持してジョィントカラ−３６を差口部３８に外嵌して、管継手本体３４の中央に周設したフランジ４１に当接する迄押込む。
【００２０】
そのとき、ジョィントカラ−３６の縮径段部（不図示、図７参照）の押込み力により、ポペット弁３２の弁棒３９の先端側を押圧してポペット弁３２を上流側へ移動させる。その結果、弁座（不図示）に着座している、ポペット弁３２のＯリング３５は弁座から離反して開弁するので、洗濯機用ホ−ス３１と管継手本体３４とは連通する。
【００２１】
ここにおいて、この管継手３０Ａのポペット弁３２の弁棒３９を、ジョィントカラ−３６の縮径段部（不図示）によりコイルスプリング３３の伸び弾力に抗して上流側に移動させるために、縮径段部が充分当接可能とし、しかも、ポペット弁３２を移動させる、次のような別体の合成樹脂製（ＡＢＳ製）ポペット弁ガイド４２を特に介在させている。
【００２２】
すなわち、このポペット弁ガイド４２は、中心に貫通孔４４を設け、この貫通孔４４にポペット弁３２の弁棒３９の縮径軸４３を挿入している。また、このポペット弁ガイド４２には、放射状に十字の羽根（案内突起）４５が一体成形され、この十字状羽根４５の間の空間によって通水路を形成して、洗濯機用ホ−ス３１への流量を確保している。
【００２３】
なお、図６中、４６はエルボ（上流側継手体３０）に設けた袋ナットで、この袋ナット４６により壁出し型水栓（アングル型止水弁）４７にエルボ（３０）を着脱自在に螺着する。また、４８は合成樹脂製スリ−ブ３７に一体成形したフックで、このフック４８を管継手本体３４のフランジ４１に樹脂弾性により係脱自在に係止させ、洗濯機用ホ−ス３１の不用意な外れを更に防止する。
【００２４】
【発明が解決しようとする課題】
しかしながら、かかる水締切り装置を備えた管継手３０Ａでは、ポペット弁３２とポペット弁ガイド４２とを別体で構成しているので、Ｃリングも必要となり部品点数を増やす、という問題があった。
【００２５】
そのため、ポペット弁３２とポペット弁ガイド４２とは、共に合成樹脂であることに着目し、これを一体成形した管継手も提案されているが、かかる提案の管継手でも、カサ部のカサ表面には水道圧が常時作用しているため、シ−ルリングを常時押圧し、ひいてはシ−ルリングが容易に変形してカサ部のかさ裏面と弁座との間にカミ込まれ、殊に、開弁のための押込み力を伝える弁ガイドも樹脂変形しやすいので、開弁不良を起こすことがあった。
【００２６】
そこで、本発明の目的は、かかる問題を解消してポペット弁の開弁を確実に行うことにある。
【００２７】
【課題を解決するための手段】
そのため本発明は、下流側に差口部をもつ金属製管継手本体における通水路用貫通孔に、弁座を設けると共に、該貫通孔をスライドし、かつ、下流側に延設した弁棒部が貫通孔で案内されるポペット弁型止水ストッパ−を設け、該ポペット弁のカサ周面に設けたシ−ルリングを、前記弁座に着座閉弁・離反開弁するようにし、該着座を、水道圧とコイルスプリングの弾力とで行うと共に、離反を、前記差口部に外嵌する接続用管体側の押込み力により行う水締切り装置を備えた水道用管継手において、前記ポペット弁を合成樹脂製射出一体成形品で構成し、該カサ部に一体に設けた弁棒部たるガイド部を、長寸状案内足で構成して、前記管継手本体の下流端より常時、突出させ、その自由端に、投影図からみて、該カサ部外径より突出したジョィントカラ−用当接部たる扇部を形成し、該扇部に対し１８０度反対側のシ−ルリングを支点として、該扇部で、前記接続用管体側に設けたジョィントカラ−の縮径段部の押込み力を偏移して受けることによって、モ−メントを発生させると共に、該扇部に対し１８０度反対側の前記案内足をえぐることにより、前記弁座にカミ込み密着しているシ−ルリングをこじあけるようにして開弁を確実にしたことを特徴とする水締切り装置を備えた水道用管継手を要旨とするものである。
【００２８】
【発明の実施の形態】
本発明を添付図面に示す実施例の形態例により詳細に述べる。
図１は本発明の実施の形態例の全体断面図、図２は図１の説明図（図４の実施例とは構造が若干相違）、図３は図１の管継手本体の断面図、図４は図１の止水ストッパ−の詳細図で、（Ａ）は正面図、（Ｂ）は側面図、（Ｃ）は要部底面図、（Ｄ）は右側面図、図５は図１の接続管用ストッパ−の詳細図で、（Ａ）は正面図、（Ｂ）は断面図であって、従来例、特に図６で示す従来例と同一部分ままたは共通部分は省略しているので、これを補充する必要がある。
【００２９】
本実施の形態例の水締切り装置を備えた水道用のワンタッチ式管継手１Ａは、既設の単水栓の蛇口、湯水混合水栓の自在スパウトまたはアングル弁のエルボ等の水道用の上流側通水部材と、洗濯機用ホ−ス等とを着脱自在に接続（挿脱）するためのワンタッチ式管継手に好都合であって、特に、この水道用の管継手１Ａは、既設の上流側通水部材が如何なるものでも、たとえ、螺着するネジの種類が異なっても（例えば管用平行ネジとメ−トルネジ）、アダプタ−を介在すれば使用できる汎用性のある単品の管継手に好都合である。
【００３０】
図１において、この管継手１Ａは管継手本体１と、ポペット弁（きのこ形弁）たる止水ストッパ−（ポペット弁型止水ストッパ−ともいう）２と、コイルスプリング３と、管継手本体１に付設された、いわゆる逆止弁付セラミック水栓（セラミックコックともいう）４と、のみから構成されている。
【００３１】
特に、この止水ストッパ−２は、図６で示したポペット弁３２とポペット弁ガイド４２とを一体に樹脂成形し、その代り弁棒部を若干大径に構成している。したがって、管継手１Ａとして、部品点数を節減して安価にし、その組立も間違いなく容易にし（素人が単品購入により往々にして分解する場合あり）、その上、軸方向を短寸化してコンパクトにし、ひいては、単品としして好都合にしている。
【００３２】
また、この止１ストッパ−２のガイド部５の外周に下流側のバネ受６を形成し、前記コイルスプリング３の一方のバネ受としているので、このコイルスプリング３は通水路７から外れた位置にセットされ流量を阻害することがない。
【００３３】
そして、この止水ストッパ−２の下流側に一体延設した弁棒部たるガイド部５の下流側は図４に示すように、その下流端を自由端とした複数本の、一体成形した案内足８Ａ，８Ｂ…で形成し、その下流端の少なくとも１つは管継手本体１より常時突出している。この突出部に不図示の洗濯機用ホ−スのジョィントカラ−（図６参照）の縮径段部が当接するようになっている。
【００３４】
したがって、この管継手１Ａを適宜の上流側通水部材に、セラミック水栓４を介して螺着し、この管継手１Ａに小径の洗濯機用ホ−スを挿入接続すると、止水ストッパ−２がコイルスプリング３の弾力および水道圧に抗して開弁し、洗濯機と連通する。そのとき、コイルスプリング３のコイルが縮んで互に圧接されても、通水路７とは関係ない位置にセットされているので、所定の流量を確保することができる。
【００３５】
特に、コイルスプリング３の一方のバネ受６は弁棒部に形成したので、図６等のカサ部と違い、コイル径を小径とし、それだけバネ常数が小となり互に圧接しやすくなるが、通水路７とは無関係であるため流量を阻害しない。
【００３６】
また、この洗濯機用ホ−スを管継手１Ａから不用意に外すと、止水ストッパ−２はコイルスプリング４の弾力と水道圧とで戻り、止水ストッパ−２のシ−ルリング（Ｏリング）（９）が、管継手本体１における通水路７用貫通孔１３の軸方向略中央に設けた弁座１０に着座して閉弁するので、水締切りができる。
【００３７】
したがって、この水道用の管継手１Ａでは、管継手本体１、止水ストッパ−２、コイルスプリング３、シ−ルリング９、逆止弁付セラミック水栓４の５個のみ（数個のみ）の部品で構成し、きわめて簡単化・堅牢化して汎用性をもたせ、かつ、安価にできる。
【００３８】
その結果、この水道用の管継手１Ａは、その管体（ホ−ス）の先端部に設けたロックボ−ルと、止水ストッパ−用当接部とをもつ管体（ホ−ス）の接続に好都合となり、信頼性の高い管継手１Ａを提供することができる。
【００３９】
次に、この管継手１Ａの詳細を述べる。
先ず、止水ストッパ−２は合成樹脂（ＰＯＭ）製の射出一体成形品であって、全長約３０ｍｍ、カサ部１１の径約１２ｍｍφ、ガイド部５の長さ約２６ｍｍ、ガイド部５のコイルスプリング３の嵌挿部の径約９ｍｍφとなっており、特に、このガイド部５の外周にコイルスプリング３が嵌挿するので、このコイルスプリング３のコイル径を小径とすると共に、管継手１Ａの軸方向を短縮し、きわめてコンパクトに構成できる。
【００４０】
この止水ストッパ−２は、図６で示す管継手３０Ａにおけるポペット弁３２とポペット弁ガイド４２とを一体成形したもので、この止水ストッパ−２のポペット弁のカサ部１１のカサ表面（上流側端面）には若干の先細りテ−パ（膨らみ）を形成するのみで、バネ受を形成していない。
【００４１】
したがって、カサ部１１にはそのカサ周面にシ−ルリング９を嵌着するのみで、きわめて簡素化している。
【００４２】
この止水ストッパ−２の弁棒部たるガイド部５の外周には、軸方向約半分の所から上流側を縮径状にして段部を形成し、この段部を、コイルスプリング３の下流側のバネ受６としている。
【００４３】
ここで、上流側のバネ受１２は、図１および図２、特にＡ矢印円部において、管継手本体１の中心部に穿設した貫通孔１３に形成した弁座１０より下流側近傍に、その貫通孔１３を縮径するように形成した縮径リング１４の下流側の段部によって構成している。この縮径リング１４は貫通孔１３等を切削加工する時に形成するので、部品を増やさず何らのコストアップにならない。
【００４４】
一方、この縮径リング１４の上流側の段部を、止水ストッパ−２のカサ部１１のカサ裏面（またはその下流側）の当接部１５として形成し、止水ストッパ−２のシ−ルリング９の着座時の押圧変形を規制している。
【００４５】
すなわち、かかる着座時の押圧規制がなければ、止水ストッパ−２のカサ部１１のカサ表面には、水道圧が常時作用しているため、シ−ルリング９を常時押圧し、シ−ルリング９は容易に変形して、カサ部１１のカサ裏面と、下流側に縮径したテ−パからなる弁座１０と、の間にカミ込まれる。
【００４６】
そのため、洗濯機用ホ−スを管継手１Ａに外嵌してワンタッチ式に接続しようとしてガイド部５の自由端を上流方向に押圧しても、このシ−ルリング９のカミ込みにより、案内足８が弯曲し、目視できないこともあって止水ストッパ−２が開弁しないおそれがあり、または一部開弁して流量を阻害するおそれがある。
【００４７】
特に、一般の止水ストッパ−も含め、止水ストッパ−２はＡＢＳやＰＯＭ樹脂製であり、通水路７を形成するため、えぐられて細身になっていることから、止水ストッパ−２の弁棒部は弯曲し易い。
【００４８】
ところが、本実施の形態例の管継手１Ａでは、弁座１０の下流側近傍にカサ裏面の当接部１５を形成したので、止水ストッパ−２のカサ表面に水道圧が常時作用しシ−ルリング９を容易に変形させて密着閉弁（密閉）していても、このシ−ルリング９の変形を、シ−ル性を発揮させながら規制し、ひいては、着座時の押圧規制を行っているので、前記のような開弁作動の不具合を生じない。
【００４９】
したがって、この縮径リング１４は、コイルスプリング３の上流側のバネ受１２と、カサ裏面の当接部１５とを共用し、コンパクト化している。
【００５０】
なお、説明図たる図２における止水ストッパ−２のガイド部５では、カサ部１１のカサ裏面から十字状の羽根を延設したもので、その自由端はいずれも、管継手本体１の下流端より閉弁時、突出しているものである。
【００５１】
次に、止水ストッパ−２のガイド部５の詳細を述べる。特に図４において、この止水ストッパ−２のカサ部１１のカサ表面には若干の先細りテ−パを形成して開弁時の流れを円滑にしており、カサ周面にはＯリング溝を形成して、カサ部１１のカサ厚さに比べ断面積の太いシ−ルリング９を外嵌しているが、かかるカサ部１１に対し、下流側に一体成形した弁棒部たるガイド部５は、３本の長寸板状案内足８Ａ，８Ｂ，８Ｃをカサ裏面から直接延設している。
【００５２】
すなわち、中央の第１の長寸板状案内足８Ａは、カサ部５のカサ裏面の径より若干小寸の板巾（板断面における長辺）をもち、弁棒部径上に位置していて、しかも、弁棒部軸方向に長寸にして、管継手本体１の下流端より常時、突出させている。したがって、この第１の案内足８Ａで開弁時にはカサ部１１を裏面から支持している。
【００５３】
そして、この第１の案内足８Ａの自由端には、洗濯機用ホ−スのジョイントカラ−の縮径段部（いずれも不図示）が当接するジョイントカラ−当接部１６を一体形成している。
【００５４】
このジョイントカラ−当接部１６より１８０度反対側の案内足８Ａの部分はえぐられていて、後記のこじあけに寄与している。
【００５５】
このジョイントカラ−当接部１６は図４（Ｄ）の右側面からみてカサ部５の外径より突出した扇部１６Ａと、その２本の足１６Ｂ，１６Ｂとで形成し、組立時、貫通孔１３に設けた縮径リング１４に対し容易にくぐらせながら、洗濯機用ホ−スのジョイントカラ−の縮径段部の押込み力（開弁力）を偏移してモ−メントを発生させるようにして、しかも、確実に受けるようにしている。
【００５６】
要するに、弁棒部に、接続管体側の押込み力によりモ−メントを発生させるようにしている。
【００５７】
その結果、カサ部１１のカサ裏面は、管継手本体１の縮径リング１４のカサ裏面の当接部１５のリングの一部（ジョイントカラ−当接部１６より１８０度反対側の部分）を支点に斜めに開き、つまり、密着しているシ−ルリング９をテコの原理でこじあけ、ひいては確実に開弁作動するようにしている。
【００５８】
また、この第１の案内足８Ａの両側の軸心位置には、その基部がリブ状に延設された第２、第３の案内足８Ｂ，８Ｃを設けている。したがって、カサ部１１の近傍では、第１の案内足８Ａと第２、第３の案内足８Ｂ，８Ｃとで略十字の羽根を形成してカサ裏面から直接延設している。
【００５９】
なお、これらの第２、第３の案内足８Ｂ，８Ｃは同形であるので、その一つを述べる。
【００６０】
第２の案内足８Ｂも長寸板状（第１の長寸板より短い）になっていて、第１の案内足８Ａの側面から直交して軸心上で延設され、リブ状に構成されている。
【００６１】
この第２の案内足８Ｂにはカサ部１１側の若干の部分を残して、その自由端を形成するため軸心側をえぐっている。この自由端には管継手本体１の貫通孔１３の内周に良好に案内する貫通孔当接部１７を一体形成している。
【００６２】
この貫通孔当接部１７は、特に図４（Ｄ）に示すように、前記第１の案内足８Ａのジョイントカラ−当接部１６より約９０度離れた（両）反対側に形成し、開弁後のジョイントカラ−当接部１６に対する押し込み力によるモ−メントを矯正し、こじあけ後の止水ストッパ−２の開弁時の軸方向スライドを円滑にしている。
【００６３】
この貫通孔当接部１７は弦月体で構成し、その円弧外面径は、カサ部１１のカサ裏面径より若干大にし、かつ、前記第１の案内足８Ａの扇部１６Ａの外径より小にしている。
【００６４】
以上の第１、第２、第３の案内足８Ａ，８Ｂ，８Ｃには、軸方向約半分の所から上流側をそれぞれ縮径状にして段部を形成し、これらの段部をコイルスプリング３の下流側のバネ受６としている。
【００６５】
次に、管継手本体１の詳細を述べる。特に、図１、図３および図５において、この管継手本体１は、黄銅棒（金属棒）の切削加工品であって、その下流側には、前記止水ストッパ−２が収容され、かつ、洗濯機用ホ−スのジョイントカラ−が外嵌される差口部１８、ロックボ−ル溝１９および接続管用ストッパ−嵌合部２０が下流側から順次周設している。
【００６６】
また、上流側には、止水ストッパ−２のカサ部１１がスライドし、かつ、開弁時に水道水の流れを円滑に迂回する、通水路７たる拡大水室２１が形成され、これに続いて上流側にセラミック水栓４を螺着するメネジ部２２が設けられている。このメネジ部２２にセラミック水栓４の円筒状のジョイント部材２７が螺着している。
【００６７】
前記接続管用ストッパ−嵌合部２０にはフランジ状の接続管用ストッパ−２３が外嵌され、金属バネ製Ｃリング２４で抜止めしている。
【００６８】
この接続管用ストッパ−２３は合成樹脂（ＡＢＳ）製で、安価に構成すると共に、後記のセラミック水栓４の合成樹脂製つまみ型ハンドル１０４に合せて良好なデザインとしている。
【００６９】
この接続管用ストッパ−２３のボス部の上流側には複数の切欠部２５，２５…を設けて、前記接続管用ストッパ−嵌合部２０に対し樹脂弾性により密着して回動しないようにしている。
【００７０】
また、ボス部の下流側には前記Ｃリング２４が嵌合するＣリング凹溝２６を設けている。したがって、一体切削形成した金属製接続管用ストッパ−より安価にしながら強固に固着している。
【００７１】
次に、逆止弁１０６付セラミック水栓４の詳細を述べる。この逆止弁１０６付セラミック水栓４は本出願人が既に開発し、市販して好評を博しているものであるが、前記ワンタッチ式管継手１Ａと軸方向をコンパクトにして一体化し、この管継手１Ａの上流側に必須の開閉弁としている。
【００７２】
もし、この管継手１Ａの上流側にアングル弁等の開閉弁がないときには、突出等の場所をとらず好都合に取付けられる。
【００７３】
殊に、逆止弁１０６を内蔵しているので、洗濯機用ホ−スとの接続時に２重の逆止弁となり、汚水等の逆流に対する安全性・信頼性を高めることができる。
【００７４】
さて、この逆止弁付セラミック水栓４は図１において、円筒状金属製水栓本体１００に、上流側の固定用のセラミック製シ−ルディスク１０１と下流側の回転用セラミック製シ−ルディスク１０２とを摺接自在に並設して収容している。
【００７５】
これらのシ−ルディスク１０１，１０２にはそれぞれ連通孔１０３，１０３を設けており、固定用セラミック製シ−ルディスク１０１は水栓本体１００からのノックピン１０４の挿入で固定され、回転用セラミック製シ−ルディスク１０２は、９０度の範囲で回転させ、丁度コックのレバ−のような回転にさせるための、つまみ型ハンドル１０４の足１０５を挿入している。
【００７６】
このつまみ型ハンドル１０４の回転により開閉したり、通水量を調節したりしている。そして、このつまみ型ハンドル１０４は水栓本体１００の外周に案内されて回転する。
【００７７】
これらのシ−ルディスク１０１，１０２は、いずれも浅底コップ状に形成され、コップの底が接合するディスクになっているので、ディスク（円板）による軸方向をコンパクトにし、しかもコップ内に逆止弁１０６の逆止弁本体１０７や、管継手１Ａのメネジ部２２に螺着するジョイント部材２７の上流側がそれぞれ挿入されて、これまた、軸方向をコンパクトにしている。このジョイント部材２７のオネジは水栓本体１００にも螺着している。
【００７８】
また、逆止弁１０６は小短管状の逆止弁本体１０７の弁座１０８に、きのこ弁１０９がコイルバネ１１０で汚水等が管継手１Ａから逆流すると閉弁する。この逆止弁本体１０７の一方のオネジは水栓本体１００に螺着している。
【００７９】
そして、この逆止弁本体１０７の他方のオネジ１１１は既設の上流側通水部材に螺着するようになっている。したがって、セラミック水栓４付の管継手１Ａを螺着により取付けることができる。
【００８０】
【発明の効果】
本発明によると、ポペット弁の弁棒部の自由端に、接続用管体側のジョィントカラ−の縮径段部に当接する当接部を設け、該当接部をポペット弁のカサ部外径より、投影図（図４（Ｄ）図）からみて、突出させたので、縮径段部による押込み力がカサ部に偏移して作用するようになり、別言すると、カサ部の、弁座に密着ないしかみ込まれているシ−ルリングをテコの原理でこじあけるようになって、開弁作動が確実になる。
【図面の簡単な説明】
【図１】  本発明の実施の形態例の全体断面図である。
【図２】  図１の説明図で、（Ｂ）は（Ａ）の底面図である。
【図３】  図１の管継手本体の断面図である。
【図４】  図１の止水ストッパ−の詳細図で、（Ａ）は正面図、（Ｂ）は側面図、（Ｃ）は要部底面図、（Ｄ）は右側面図である。
【図５】  図１の接続管用ストッパ−の詳細図で、（Ａ）は正面図、（Ｂ）は断面図である。
【図６】  従来例である。
【図７】  従来例である。
【符号の説明】
１…管継手本体、２…止水ストッパ−、３…コイルスプリング、５…ガイド部、７…通水路、８…長寸板状案内足、９…シ−ルリング、１０…弁座、１１…カサ部、１３…貫通孔、１６…当接部
【図１】
0003637338.tif 000002
【図２】
0003637338.tif 000003
【図３】
0003637338.tif 000004
【図４】
0003637338.tif 000005
【図５】
0003637338.tif 000006
【図６】
0003637338.tif 000007
【図７】
0003637338.tif 000008